(57)【要約】【課題】  ブラケット本体を変更することなく、さまざまな形状の建材部に対して手摺ブラケットを取り付けることができるなど、手摺のさまざまな状況に対応することができる汎用性のある手摺ブラケットを提供する。【解決手段】  ブラケット本体３と、ブラケット本体３と建材部２との間に設けられるスペーサ４とを備え、スペーサ４は、建材部２への当接部分の形状が異なる複数種類のスペーサ４の中から手摺ブラケット１０が取り付けられる建材部２の形状に適合する形状を有するスペーサ４を選択的に用い得るように、ブラケット本体３に対して交換可能となっている。【選択図】      図４
2005220558.tif 000002
【特許請求の範囲】
【請求項１】
１つもしくは２つの棒状の手摺とこの手摺が固定される建材部との間に設けられ、手摺を建材部に固定するための手摺ブラケットであって、
ブラケット本体と、
ブラケット本体と建材部との間に設けられるスペーサと
を備え、
上記スペーサは、建材部への当接部分の形状が異なる複数種類のスペーサの中から手摺ブラケットが取り付けられる建材部の形状に適合する形状を有するスペーサを選択的に用い得るように、ブラケット本体に対して交換可能となっていることを特徴とする手摺ブラケット。
【請求項２】
ブラケット本体と１つもしくは２つの手摺との間に設けられる手摺受け具を備え、
手摺受け具は、１つもしくは２つの手摺の端部を連結可能であることを特徴とする請求項１に記載の手摺ブラケット。
【請求項３】
上記手摺受け具は、建材部に取り付けられる手摺の姿勢と手摺ブラケットの姿勢とに対応して、１つもしくは２つの手摺の端部をそれぞれブラケット本体に対して角度自在に連結可能であることを特徴とする請求項２に記載の手摺ブラケット。
【請求項４】
上記スペーサは、手摺ブラケットが取り付けられる平坦な形状を有する建材部の形状に適合する平坦な形状を有するスペーサと、出隅の形状を有する建材部の形状に適合する入隅の形状を有するスペーサと、入隅の形状を有する建材部の形状に適合する出隅の形状を有するスペーサとの中から、手摺ブラケットが取り付けられる建材部の形状に適合する形状を有するスペーサを選択的に用い得るように、ブラケット本体に対して交換可能となっていることを特徴とする請求項１ないし請求項３に記載の手摺ブラケット。
【請求項５】
上記手摺受け具は、略柱状の連結部材と、この連結部材の長さ方向両端部分に配置されて、連結部材の長さ方向に対して角度変更自在に連結部材と手摺とを接続する略柱状の可動部材とを備え、
上記可動部材は、連結部材に対して摺動可能に設けられ、その一端に連結部材に対する嵌合用の突出部を有する摺動部を有し、
上記連結部材は、連結部材の内部において突出部を嵌合する嵌合部が形成されるとともに、互いに結合分離可能な一対の半割り状の連結部材ユニットで構成され、この両連結部材ユニットが結合された状態で、嵌合部が突出部を抜出不能に嵌合し、この状態で連結部材に対して可動部材が角度変更可能に連結させるように構成されていることを特徴とする請求項２ないし請求項４に記載の手摺ブラケット。
【発明の詳細な説明】
【技術分野】
【０００１】
本発明は、棒状の手摺と手摺が固定される建材部との間に設けられ、手摺を建材部に固定するために採用される手摺ブラケットに関するものである。
【背景技術】
【０００２】
一般に、棒状の手摺と手摺が固定される建材部との間に設けられ、手摺を建材部に固定するために採用される手摺ブラケットとして、建材部に固定されるベース部と手摺を固定するブラケット部とが一体に成形されたブラケット本体を備えたものが知られている。
【０００３】
例えば、特許文献１には、ネジにより壁材に固定される座部と、手摺を固定するアーム部とが、一体に成形された手摺ブラケット取付構造および手摺ブラケット取付方法の技術が開示されている。
【特許文献１】特開２００２−８１１８３号公報
【発明の開示】
【発明が解決しようとする課題】
【０００４】
しかしながら、上述の手摺ブラケットでは、ブラケット本体は、平坦な形状を有する建材部の形状に適合する形状に形成されており、例えば、出隅の形状を有する建材部や、入隅の形状を有する建材部など、さまざまな形状の建材部に対しては、それぞれに適合する形状を有するブラケット本体に変更しなければならないという不具合があった。
【０００５】
本発明は上記不具合に鑑みてなされたものであり、ブラケット本体を変更することなく、さまざまな形状の建材部に対して手摺ブラケットを取り付けることができるなど、手摺のさまざまな状況に対応することができる汎用性のある手摺ブラケットを提供することを課題としている。
【課題を解決するための手段】
【０００６】
上記課題を解決するための本発明は、１つもしくは２つの棒状の手摺とこの手摺が固定される建材部との間に設けられ、手摺を建材部に固定するための手摺ブラケットであって、ブラケット本体と、ブラケット本体と建材部との間に設けられるスペーサとを備え、上記スペーサは、建材部への当接部分の形状が異なる複数種類のスペーサの中から手摺ブラケットが取り付けられる建材部の形状に適合する形状を有するスペーサを選択的に用い得るように、ブラケット本体に対して交換可能となっていることを特徴とする手摺ブラケットである。
【０００７】
この発明によれば、ブラケット本体と建材部との間に設けられるスペーサが、ブラケット本体に対して交換可能となっており、建材部への当接部分の形状が異なる複数種類のスペーサの中から選択的に用いることができるので、ブラケット本体を変更することなく、さまざまな形状の建材部に対して手摺ブラケットを取り付けることができる。
【０００８】
また、本発明に係る手摺ブラケットは、ブラケット本体と１つもしくは２つの手摺との間に設けられる手摺受け具を備え、手摺受け具は、１つもしくは２つの手摺の端部を連結可能であることが好ましい。
【０００９】
このようにすれば、１つの手摺の端部を連結可能な手摺受け具を備えている場合は、本発明に係る手摺ブラケットを手摺の終端用の手摺ブラケットとして用いることができる。また、２つの手摺の端部を連結可能な手摺受け具を備えている場合は、本発明に係る手摺ブラケットを２つの手摺の接続用の手摺ブラケットとして用いることができる。このように、汎用性の広い手摺ブラケットとすることができる。
【００１０】
上記手摺受け具は、建材部に取り付けられる手摺の姿勢と手摺ブラケットの姿勢とに対応して、１つもしくは２つの手摺の端部をそれぞれブラケット本体に対して角度自在に連結可能であることが好ましい。
【００１１】
このようにすれば、手摺受け具が、建材部に取り付けられる手摺の姿勢と手摺ブラケットの姿勢とに対応して、手摺の端部をブラケット本体に対して角度自在に連結可能であるので、コーナー部など、隣接する手摺同士が角度をなすように接続される場合の接続用の手摺ブラケットとして用いることができる。
【００１２】
上記スペーサは、手摺ブラケットが取り付けられる平坦な形状を有する建材部の形状に適合する平坦な形状を有するスペーサと、出隅の形状を有する建材部の形状に適合する入隅の形状を有するスペーサと、入隅の形状を有する建材部の形状に適合する出隅の形状を有するスペーサとの中から、手摺ブラケットが取り付けられる建材部の形状に適合する形状を有するスペーサを選択的に用い得るように、ブラケット本体に対して交換可能となっていることが好ましい。
【００１３】
このようにすれば、手摺ブラケットが取り付けられる建材部の形状に合わせてスペーサを交換することにより、平坦な形状を有する建材部に対しても、出隅の形状を有する建材部に対しても、入隅の形状を有する建材部に対しても、本発明に係る手摺ブラケットを取り付けることができるようになる。
【００１４】
上記手摺受け具は、略柱状の連結部材と、この連結部材の長さ方向両端部分に配置されて、連結部材の長さ方向に対して角度変更自在に連結部材と手摺とを接続する略柱状の可動部材とを備え、上記可動部材は、連結部材に対して摺動可能に設けられ、その一端に連結部材に対する嵌合用の突出部を有する摺動部を有し、上記連結部材は、連結部材の内部において突出部を嵌合する嵌合部が形成されるとともに、互いに結合分離可能な一対の半割り状の連結部材ユニットで構成され、この両連結部材ユニットが結合された状態で、嵌合部が突出部を抜出不能に嵌合し、この状態で連結部材に対して可動部材が角度変更可能に連結させるように構成されていることが好ましい。
【００１５】
このようにすれば、連結部材ユニット同士を結合するだけで連結部材の両端面に可動部材を固定することが可能であるので、手摺の端部をブラケット本体に対して角度自在に連結する作業の効率を向上させることができる。
【発明の効果】
【００１６】
以上説明したように、本発明によれば、ブラケット本体を変更することなく、さまざまな形状の建材部に対して手摺ブラケットを取り付けることができる。
【００１７】
また、同じブラケット本体を手摺の終端部と、２つの手摺の接続部用の手摺ブラケットとして用いたり、コーナー部など、隣接する手摺同士が角度をなすように接続される場合の接続部用の手摺ブラケットとして用いることができるなど、手摺のさまざまな状況に対応することができる汎用性のある手摺ブラケットを提供することができる。
【発明を実施するための最良の形態】
【００１８】
以下、添付図面を参照しながら本発明の好ましい実施の一形態について詳述する。図１は、本発明の実施の形態に係る手摺ブラケット１０が、手摺１の終端部に設けられる手摺ブラケット１０として、平坦な形状を有する建材部２に取り付けられた状態を示す斜視図であり、図２は、図１の分解斜視図である。
【００１９】
また、図３は、本発明の実施の形態に係る手摺ブラケット１０が、２つの手摺１の接続部に設けられる手摺ブラケット１０として、出隅の形状を有する建材部２に取り付けられた状態を示す斜視図であり、図４は、図３の分解斜視図である。
【００２０】
また、図５は、本発明の実施の形態に係る手摺ブラケット１０が、２つの手摺１の接続部に設けられる手摺ブラケット１０として、入隅の形状を有する建材部２に取り付けられた状態を示す斜視図であり、図６は、図５の分解斜視図である。
【００２１】
図１〜図６に示すように、本発明の実施の形態に係る手摺ブラケット１０は、１つ（図１、図２）もしくは２つ（図３〜図６）の棒状の手摺１とこの手摺１が固定される建材部２との間に設けられ、手摺１を建材部２に固定するものである。この手摺ブラケット１０は、ブラケット本体３と、ブラケット本体３と建材部２との間に設けられるスペーサ４（図２〜図６）と、ブラケット本体３と１つもしくは２つの手摺１との間に設けられる手摺受け具５とを備えている。
【００２２】
上記手摺１は、廊下、階段等の側方に歩行者の補助のために用いられるものであり、本実施形態においては、表面処理された断面円形の金属製パイプが採用されている。
【００２３】
上記建材部２は、廊下、階段等の側方に設けられた壁を構成する部材であり、建物内装用の化粧合板等が採用される。
【００２４】
上記ブラケット本体３は、図２と、図４と、図６とに示すように、手摺ブラケット１０を建材部２に固定するために設けられたベース部３ａと、手摺１を手摺ブラケット１０に固定するために設けられたブラケット部３ｂと、補強部材３ｃと、カバー３ｄとを備えたものである。ベース部３ａとブラケット部３ｂとは硬質のプラスチックで一体に形成されている。また、カバー３ｄも硬質のプラスチックで形成されている。
【００２５】
ここで、ベース部３ａは、略方形状に形成され、ベース固定ねじ３ｅを挿通させるベース固定ねじ挿通孔３ｆを有するとともに、補強部材３ｃに接合するベース部接合面３ｇを有している。ベース部３ａの建材部２に向き合う側の面には、スペーサ４を嵌合する凹部が形成されている。
【００２６】
また、ブラケット部３ｂは、ベース部３ａから斜め上方に延びる枠状の形状に形成され、ベース部３ａの上辺に連なり補強部材３ｃに接合する湾曲形状のブラケット部接合面３ｋと、ベース部３ａの両側辺に連なる両側面部３ｓと、上端に設けられ、手摺固定ねじ３ｈを挿通させる手摺固定ねじ挿通孔３ｊが形成された手摺支持用座部３ｔとを有している。
【００２７】
上記補強部材３ｃは、ベース部３ａとブラケット部３ｂとに接合されて、ブラケット本体３を補強するための部材であり、鋼板などの金属板をブラケット本体３の内面に位置するベース部接合面３ｇとブラケット部接合面３ｋとに嵌合する湾曲した形状にプレス成形したもので構成されている。
【００２８】
また、補強部材３ｃは、ベース部３ａに設けられた突部３ｍに適合する形状の切欠き部３ｎを有しており、この切欠き部３ｎをベース部３ａに設けられた突部３ｍと嵌め合わせることにより、補強部材３ｃの補強部材接合面３ｐが、ベース部接合面３ｇとブラケット部接合面３ｋとに接合する位置に位置決めされるように構成されている。
【００２９】
そして、この補強部材３ｃは、ベース固定ねじ３ｅを受けるベース固定ねじ受け座３ｑと、手摺固定ねじ３ｈを受ける手摺固定ねじ受け座３ｒとを有している。そして、ベース部接合面３ｇとブラケット部接合面３ｋとに接合する位置に位置決めされた状態で、ベース固定ねじ３ｅを建材部２にねじ込むことにより、ベース部３ａと、スペーサ４と共に建材部２に着脱可能に固定されるように構成されている。
【００３０】
また、この補強部材３ｃは、手摺固定ねじ３ｈを手摺１にねじ込むことにより、ブラケット部３ｂと共に手摺１に着脱可能に固定されるようになっている。
【００３１】
また、カバー３ｄは、ブラケット部３ｂに嵌め合わされることにより、補強部材３ｃとベース固定ねじ３ｅおよび手摺固定ねじ３ｈの締結部を覆うように構成されている。
【００３２】
上記スペーサ４は、硬質プラスチック製の部材であり、建材部２への当接部分の形状が異なる複数種類のスペーサ４の中から手摺ブラケット１０が取り付けられる建材部２の形状に適合する形状を有するスペーサ４を選択的に用い得るように、ブラケット本体３に対して交換可能に構成され、ボルト４ｄとボルト受け座４ｅとボルト孔４ｆとナット４ｇとによりブラケット本体３に着脱可能に取り付けられるようになっている。
【００３３】
すなわち、スペーサ４は、手摺ブラケット１０が取り付けられる平坦な形状を有する建材部２の形状に適合する平坦な形状を有するスペーサ４ａ（図２）と、出隅の形状を有する建材部２の形状に適合する入隅の形状を有するスペーサ４ｂ（図４）と、入隅の形状を有する建材部２の形状に適合する出隅の形状を有するスペーサ４ｃ（図６）との中から、手摺ブラケット１０が取り付けられる建材部２の形状に適合する形状を有するスペーサ４を選択的に用い得るように、ブラケット本体３に対して交換可能となっている。
【００３４】
なお、出隅の形状を有する建材部２の形状に適合する入隅の形状を有するスペーサ４ｂ（図４）と、入隅の形状を有する建材部２の形状に適合する出隅の形状を有するスペーサ４ｃ（図６）とについては、スペーサ４ｂ、４ｃがスペーサ４ａ（図２）よりも厚みが増加してスペーサ４ｂ、４ｃが露出し、建材部２に貼られた壁紙の端部が外部から見えることから、スペーサ４ｂ、４ｃと壁紙の端部を覆うためのスペーサーカバー４ｈ、４ｊが別途設けられる。
【００３５】
上記手摺受け具５は、１つもしくは２つの手摺１の端部を連結可能とするものであり、図１、図２では、手摺１の終端部に設けられ、１つの手摺１の端部を連結可能とする手摺受け具５ａとして手摺受け具５が構成されている。この手摺受け具５ａは、開口５ｃを有し、この開口５ｃを通して、手摺固定ねじ３ｈが、手摺１の終端部をブラケット部３ｂに固定することができるようになっている。
【００３６】
また、図３〜図６では、２つの手摺１の接続部に設けられ、２つの手摺１の端部を連結可能とする手摺受け具５ｂとして手摺受け具５が構成され、この手摺受け具５ｂは、さらに、建材部２に取り付けられる手摺１の姿勢と手摺ブラケット１０の姿勢とに対応して、２つの手摺１の端部をそれぞれブラケット本体３に対して角度自在に連結可能に構成されている。
【００３７】
ここで、図７は、本発明の実施の形態に係る手摺ブラケット１０の手摺受け具５ｂの概略の構成を示す断面図である。
【００３８】
図４と図６と図７とに示すように、手摺受け具５ｂは、略柱状の連結部材５ｄと、この連結部材５ｄの長さ方向両端部分に配置されて、連結部材５ｄの長さ方向に対して角度変更自在に連結部材５ｄと手摺１とを接続する略柱状の可動部材５ｅとを備えている。そして、連結部材５ｄの両端には、球面状の凹部５ｓ（図７）が形成されている。
【００３９】
上記可動部材５ｅは、連結部材５ｄに対して凹部５ｓ（図７）の球面に沿って摺動可能な略半球状の摺動部５ｆと、図略のねじで手摺端部１ａに取り付けられるキャップ状の手摺端部受け５ｇと、摺動部５ｆの端部に螺合し、手摺端部１ａに取り付けられた手摺端部受け５ｇを摺動部５ｆの端部に押し付けるようにして手摺端部受け５ｇを摺動部５ｆに固定する固定リング５ｈとを備えている。
【００４０】
摺動部５ｆは、その一端に連結部材５ｄに対する嵌合用の突出部５ｊを備えており、突出部５ｊの本体部５ｋは、頚部５ｍより大径の球状に形成されている。
【００４１】
上記連結部材５ｄは、連結部材５ｄの内部において両側二箇所に突出部５ｊを嵌合するスリット状の嵌合部５ｎが形成されるとともに、ビス５ｐにより互いに結合分離可能な一対の半割り状の連結部材ユニット５ｑ、５ｒで構成され、この両連結部材ユニット５ｑ、５ｒが結合された状態で、嵌合部５ｎが突出部５ｊを抜出不能に嵌合し、この状態で連結部材５ｄに対して可動部材５ｅが角度変更可能に連結させるように構成されている。
【００４２】
次に図１〜図７を参照して、本発明の実施の形態に係る手摺ブラケット１０の作用について説明する。
【００４３】
本発明の実施の形態に係る手摺ブラケット１０においては、建材部２への当接部分の形状が異なる複数種類のスペーサ４の中から建材部２の形状に適合する形状を有するスペーサ４を選択的に用いるようにする。
【００４４】
まず、平坦な形状を有する建材部２に取り付ける場合は、図１、図２に示すように、平坦な形状を有するスペーサ４ａを用いる。
【００４５】
次に、出隅の形状を有する建材部２に取り付ける場合は、図３、図４に示すように、出隅に適合する形状を有するスペーサ４ｂを用いる。
【００４６】
そして、入隅の形状を有する建材部２に取り付ける場合は、図５、図６に示すように、入隅に適合する形状を有するスペーサ４ｃを用いる。
【００４７】
また、手摺１の終端用の手摺ブラケット１０として用いる場合は、図１、図２に示すように、１つの手摺１の端部をブラケット本体３に対して連結可能な手摺受け具５ａを用いる。
【００４８】
また、手摺１の接続用の手摺ブラケット１０として用いる場合は、図３〜図６に示すように、２つの手摺１の端部をそれぞれブラケット本体３に対して角度自在に連結可能である手摺受け具５ｂを用いる。
【００４９】
このようにして、ブラケット本体３を変更することなく、さまざまな形状の建材部２に対して手摺ブラケット１０を取り付ける。
【００５０】
また、手摺受け具５ｂを組み立てるには、まず、連結部材ユニット５ｐ、５ｑ同士を分離した状態で、連結部材ユニット５ｐ、５ｑの一方のスリット状の嵌合部５ｎに、可動部材５ｅの突出部５ｆを嵌め込み、その後、他方のスリット状の嵌合部５ｎにも突出部５ｆを嵌め込み、連結部材ユニット５ｐ、５ｑ同士を嵌合させ、ボルト５ｐでこの嵌合を固定することにより行う。
【００５１】
以上説明したように、本発明の実施の形態に係る手摺ブラケット１０によればブラケット本体３と建材部２との間に設けられるスペーサ４が、ブラケット本体３に対して交換可能となっており、建材部２への当接部分の形状が異なる複数種類のスペーサ４の中から選択的に用いることができるので、ブラケット本体３を変更することなく、さまざまな形状の建材部２に対して手摺ブラケット１０を取り付けることができる。
【００５２】
また、１つの手摺１の端部を連結可能な手摺受け具５を備えている場合は、本発明に係る手摺ブラケット１０を手摺１の終端用の手摺ブラケット１０として用いることができる。また、２つの手摺１の端部を連結可能な手摺受け具５を備えている場合は、本発明に係る手摺ブラケット１０を２つの手摺１の接続用の手摺ブラケット１０として用いることができる。このように、汎用性のある手摺ブラケットとすることができる。
【００５３】
また、手摺受け具５が、建材部２に取り付けられる手摺１の姿勢と手摺ブラケット１０の姿勢とに対応して、手摺１の端部をブラケット本体３に対して角度自在に連結可能であるので、コーナー部など、隣接する手摺１同士が角度をなすように接続される場合の接続用の手摺ブラケット１０として用いることができる。
【００５４】
さらに、手摺ブラケット１０が取り付けられる建材部２の形状に合わせてスペーサ４を交換することにより、平坦な形状を有する建材部２に対しても、出隅の形状を有する建材部２に対しても、入隅の形状を有する建材部２に対しても、本発明に係る手摺ブラケット１０を取り付けることができるようになる。
【００５５】
そして、連結部材ユニット５ｐ、５ｑ同士を結合するだけで連結部材５ｄの両端面に前記可動部材５ｅを固定することが可能であるので、手摺１の端部をブラケット本体３に対して角度自在に連結する作業の効率を向上させることができる。
【００５６】
上述した実施の形態は本発明の好ましい具体例を例示したものに過ぎず、本発明は上述した実施の形態に限定されない。
【００５７】
例えば、手摺１は、必ずしも廊下，階段等の側方に歩行者の補助のために用いられるものに限定されず、また、形状、材質も図示のような断面円形の表面処理された金属パイプで構成されたものに限定されない。建材部に設けられるものであれば、どのような手摺でも適用可能であり、また、木製の棒状部材などで構成されたものでも採用可能である。
【００５８】
建材部２も、建物内装用の化粧合板に限らず、種々のものに変更可能である。
【００５９】
ブラケット本体３、スペーサ４、手摺受け具５は、必ずしも硬質プラスチックの成形品である必要はなく、アルミダイカストなどの鋳物成形品も採用可能であるなど、種々の設計変更が可能である。
【００６０】
補強部材３ｃも、鋼板のプレス成形品に限定されない。ブラケット本体３に接合されて、ブラケット本体３を補強するために採用される部材であれば、硬質プラスチックの成形品も採用可能であるなど、種々の材料が可能である。
【００６１】
その他、本発明の特許請求の範囲内で種々の設計変更が可能であることはいうまでもない。
【図面の簡単な説明】
【００６２】
【図１】本発明の実施の形態に係る手摺ブラケットが、手摺の終端部に設けられる手摺ブラケットとして、平坦な形状を有する建材部に取り付けられた状態を示す斜視図である。
【図２】図１の分解斜視図である。
【図３】本発明の実施の形態に係る手摺ブラケットが、２つの手摺の接続部に設けられる手摺ブラケットとして、出隅の形状を有する建材部に取り付けられた状態を示す斜視図である。
【図４】図３の分解斜視図である。
【図５】本発明の実施の形態に係る手摺ブラケットが、２つの手摺の接続部に設けられる手摺ブラケットとして、入隅の形状を有する建材部に取り付けられた状態を示す斜視図である。
【図６】図５の分解斜視図である。
【図７】２つの手摺の接続部に設けられる手摺受け具の概略の構成を示す断面図である。
【符号の説明】
【００６３】
１      手摺
１ａ    手摺の端部
２      建材部
３      ブラケット本体
４      スペーサ
５      手摺受け具
５ｄ    連結部材
５ｅ    可動部材
５ｆ    突出部
５ｇ    手摺固定手段
５ｍ    嵌合部
５ｐ、５ｑ      連結部材ユニット
１０    手摺ブラケット
【図１】
2005220558.tif 000003
【図２】
2005220558.tif 000004
【図３】
2005220558.tif 000005
【図４】
2005220558.tif 000006
【図５】
2005220558.tif 000007
【図６】
2005220558.tif 000008
【図７】
2005220558.tif 000009